(57)【要約】 【課題】      ディジタルコンテンツのオブジェクトがクリックされた履歴や、記録、或いは編集された履歴を再生することができるディジタルコンテンツの行為を再生、編集、記録するシステム及びその方法を提供する。【解決手段】  ディジタルコンテンツの内容の操作方法であって、該ディジタルコンテンツは複数の行為を含み、少なくと行為シーケンス（behavior  sequence）を提供し、該操作方法は該行為シーケンスをこれらオブジェクトの行為において前後してクリックされた履歴とするステップと、行為行為シーケンスに基づいて、クリックした該ディジタルコンテンツのこれらオブジェクト行為を順に並べるステップとを含む。【選択図】    図２
2004310771.tif 000002
【特許請求の範囲】
【請求項１】
ディジタルコンテンツの内容の操作方法であって、該ディジタルコンテンツは複数の行為を含み、少なくと行為シーケンス（behavior  sequence）を提供し、該行為シーケンスをこれらオブジェクトの行為において前後してクリックされた履歴とするステップと
行為行為シーケンスに基づいて、クリックした該ディジタルコンテンツのこれらオブジェクト行為を順に並べるステップとを含むこと、を特徴とするディジタルコンテンツの行為を再生、編集、記録する方法。
【請求項２】
前記行為シーケンスは複数のデータを含み、各データは行為の識別データとオブジェクト行為のクリックされた時間を含むことを特徴とする請求項１に記載するディジタルコンテンツの行為を再生、編集、記録する方法。
【請求項３】
該行為は自由な方法（method）、属性（property）、事件（event）を組み合わせたグループの中の１種類を選択することを特徴とする請求項１に記載するディジタルコンテンツの行為を再生、編集、記録する方法。
【請求項４】
前記方法は、さらに行為シーケンスの執行過程において、行為を一時停止し、インプットデバイス（input  device）によりディジタルコンテンツ内の特定ファイルをクリックするステップを含むことを特徴とする請求項１に記載するディジタルコンテンツの行為を再生、編集、記録する方法。
【請求項５】
前記方法は、さらに特定行為を執行する場合、行為シーケンス内でクリックされていないファイルの執行を取り消すステップを含むことを特徴とする請求項４に記載するディジタルコンテンツの行為を再生、編集、記録する方法。
【請求項６】
前記方法には、さらに目で確認することのできる指示オブジェクトはファイルがクリックされると、ファイルがクリックされたことを表示するステップを含むことを特徴とする請求項１に記載するディジタルコンテンツの行為を再生、編集、記録する方法。
【請求項７】
前記方法におけるディジタルコンテンツには、言語データと、該言語データがクリックされた履歴に合わせて関連する言語とを含み、該方法にはさらにファイルがクリックされると同時に、言語データが再生されるステップを含むことを特徴とする請求項１に記載するディジタルコンテンツの行為を再生、編集、記録するその方法。
【請求項８】
前記方法はさらに行為シーケンスの内容を編集するステップを含むことを特徴とする請求項１に記載するディジタルコンテンツの行為を再生、編集、記録する方法。
【請求項９】
前記方法には、さらに行為シーケンスの内容を記録するステップを含むことを特徴とする請求項１に記載するディジタルコンテンツの行為を再生、編集、記録する方法。
【請求項１０】
ディジタルコンテンツの内容の操作を提供するウェブサイトであって、
ユーザー端末のコンピュータとコミュニケーションリンク（communication  link）を行う通信インタフェイスと、
少なくとも該ディジタルコンテンツの内容をと行為シーケンス（behavior  sequence）を保存し、該ディジタルコンテンツは通信インタフェイスを通して使用者端末に接続され、行為シーケンスが行為の前後にクリックされた履歴を表示し、該行為シーケンスも通信インタフェイスを介して使用者端末に接続するメモリと、
通信インタフェイスを通して使用者端末に接続し、行為シーケンスによりディジタルコンテンツのファイルをクリックする行為再生機能（player）とを含んでなる特徴とするウェブサイトシステム。
【請求項１１】
前記ウェブサイトシステムは方法（method）、属性（property）、事件（event）とを組み合わせたグループの1種とすることを特徴とする請求項１０に記載するウェブサイトシステム。
【請求項１２】
前記ユーザー端末は、行為再生機能に一時停止を要求するインプットデバイスと、インプットデバイスを利用してディジタルコンテンツをクリックする特定ファイルの行為を含むことを特徴とする請求項１０に記載のウェブサイトシステム。
【請求項１３】
前記特定ファイル行為を実行する場合、行為シーケンスン毎のクリックされていないファイルの執行を取り消すことを特徴とする請求項１０に記載のウェブサイトシステム。
【請求項１４】
前記肉眼で確認可能（visible)な指示オブジェクトは、通信インタフェイスを通して使用者端末に接続し、行為再生機能はファイルをクリックすると同時にクリックされたことを表示することを特徴とする請求項１０に記載のウェブサイトシステム。
【請求項１５】
前記言語再生は、通信インタフェイスを通して使用者端末に接続し、且つメモリ内に言語データを保存し、該言語データはファイルがクリックされた履歴内に関連する言語を合わせ、該言語データも通信インタフェイスを通して使用者端末に接続し、該行為再生機能はファイルがクリックされると同時に、言語再生機能を利用して言語データを再生することを特徴とする請求項１０に記載のウェブサイトシステム。
【請求項１６】
前記システムは、さらに編集機能を含み、該編集機能は通信インタフェイスを通して使用者端末に接続し、使用者端末のインプットデバイスにより行為シーケンスの内容を編集することを特徴とする請求項１０に記載のウェブサイトシステム。
【請求項１７】
前記ウェブサイトシステムにはさらに記録機能を含み、該行為記録機能は通信インタフェイスを介して使用者端末に接続し、行為シーケンスの内容を記録することを特徴とする請求項１０に記載のウェブサイトシステム。
【請求項１８】
前記ウェブサイトシステムの行為シーケンスは複数のデータを含み、各データはファイルの識別データと、ファイルがクリックされた時間を含むことを特徴とする請求項１０に記載するウェブサイトシステム。
【発明の詳細な説明】
【技術分野】
【０００１】
この発明は、ディジタルコンテンツの行為を再生、編集、記録するシステム及びその方法に関し、特にディジタルコンテンツ中の行為を再生するためのディジタルコンテンツの行為を再生、編集、記録するシステム及びその方法に関する。
【背景技術】
【０００２】
従来、ディジタルコンテンツの内容を記録する操作に係る技術は、そのほとんどが画面の映像を記録し、再生することが主な操作内容だった。例えば、マウスを駆動してディジタルコンテンツの実況にかかる映像を記録し、同じ操作を繰り返して記録した映像を再生する。再生された映像は内部にマウスとマウスのトラックが含まれる。しかし、マウスはオブジェクトを実際に触発する動作をするわけではない。一時停止時、使用者は同じ映像画面上でマウスを使用してディジタルコンテンツを再び操作することはできない。即ち、操作時の環境が異なれば再生の環境が異なり、使用者は一時停止させることができず、同一画面上で細かい操作をすることができない。
【０００３】
また、インプット装置の機能に関して言えば、使用者はインプット装置を利用してディジタルコンテンツを記録する。例えば、使用者はマウスを操作して記録し、マウスを同様に操作して再生する。しかし、再生時、使用者は再生端末に駆動プログラムをインストールし、駆動プログラムにより再生端末のマウスを同じように操作して駆動する。しかし、使用者は一般的にこの方法を採用したがらない。なぜなら、使用者はコンピュータの安全のため、外部からのプログラムをインストールしたくないからである。また、開始画面が更に動かされると、再生ミスが生じるからである。よって、記録するコンテンツはマウスの座標とマウスの操作だけである。開始画面が更に動かされた場合、オブジェクトの位置が異なり、元の位置におけるマウスの操作が予測できず、オブジェクトに対する操作にミスが生じる。さらに、ディジタルコンテンツのインプット装置への操作がマウスだけでなく、マウスの記録操作が他のインプット装置でクリックしたオブジェクトに対しても送られる。よって、再生マウスのトラックとマウスの操作も元の操作を繰り返す事ができない。
【発明の開示】
【発明が解決しようとする課題】
【０００４】
この発明は、ディジタルコンテンツのオブジェクトがクリックされた履歴や、記録、或いは編集された履歴を再生することができるディジタルコンテンツの行為を再生、編集、記録するシステム及びその方法を提供することを課題とする。
【課題を解決するための手段】
【０００５】
この発明によるディジタルコンテンツ内容の操作方法は、少なくと行為シーケンス（behavior  sequence）を提供し、該行為シーケンスをこれらオブジェクトの行為において前後してクリックされた履歴とするステップと
行為行為シーケンスに基づいて、クリックした該ディジタルコンテンツのこれらオブジェクト行為を順に並べるステップとを含んでなり、ディジタルコンテンツのオブジェクトがクリックされた履歴や、記録、或いは編集された履歴を再生する目的を達成する。
【０００６】
以下、この発明について具体的に説明する。
請求項１に記載するディジタルコンテンツの行為を再生、編集、記録する方法は、ディジタルコンテンツの内容の操作方法であって、該ディジタルコンテンツは複数の行為を含み、少なくと行為シーケンス（behavior  sequence）を提供し、該行為シーケンスをこれらオブジェクトの行為において前後してクリックされた履歴とするステップと
行為行為シーケンスに基づいて、クリックした該ディジタルコンテンツのこれらオブジェクト行為を順に並べるステップとを含む。
【０００７】
請求項２に記載するディジタルコンテンツの行為を再生、編集、記録する方法は、請求１における行為シーケンスは複数のデータを含み、各データは行為の識別データとオブジェクト行為のクリックされた時間を含む。
【０００８】
請求項３に記載するディジタルコンテンツの行為を再生、編集、記録する方法は、請求項１における行為が自由な方法（method）、属性（property）、事件（event）を組み合わせたグループの中の１種類を選択する。
【０００９】
請求項４に記載するディジタルコンテンツの行為を再生、編集、記録する方法は、請求項１における方法がさらに行為シーケンスの執行過程において、行為を一時停止し、インプットデバイス（input  device）によりディジタルコンテンツ内の特定ファイルをクリックするステップを含むことを特徴とする請求項１に記載するディジタルコンテンツの行為を再生、編集、記録する方法。
【００１０】
請求項５に記載するディジタルコンテンツの行為を再生、編集、記録する方法は、請求項１における方法が、さらに特定行為を執行する場合、行為シーケンス内でクリックされていないファイルの執行を取り消すステップを含む。
【００１１】
請求項６に記載するディジタルコンテンツの行為を再生、編集、記録する方法は、請求項１における方法が、さらに目で確認することのできる指示オブジェクトはファイルがクリックされると、ファイルがクリックされたことを表示するステップを含む。
【００１２】
請求項７に記載するディジタルコンテンツの行為を再生、編集、記録する方法は、請求項１におけるディジタルコンテンツに言語データと、該言語データがクリックされた履歴に合わせて関連する言語とを含み、該方法にはファイルがクリックされると同時に、言語データが再生されるステップをさらに含む。
【００１３】
請求項８に記載するディジタルコンテンツの行為を再生、編集、記録するその方法は、請求項１における方法が、さらに行為シーケンスの内容を編集するステップを含む。
【００１４】
請求項９に記載するディジタルコンテンツの行為を再生、編集、記録する方法は、請求項１における方法が、さらに行為シーケンスの内容を記録するステップを含む。
【００１５】
請求項１０に記載するディジタルコンテンツの内容の操作を提供するウェブサイトは、
ユーザー端末のコンピュータとコミュニケーションリンク（communication  lin）を行う通信インタフェイスと、
少なくとも該ディジタルコンテンツの内容をと行為シーケンス（behavior  sequence）を保存し、該ディジタルコンテンツは通信インタフェイスを通して使用者端末に接続され、行為シーケンスが行為の前後にクリックされた履歴を表示し、該行為シーケンスも通信インタフェイスを介して使用者端末に接続するメモリと、
通信インタフェイスを通して使用者端末に接続し、行為シーケンスによりディジタルコンテンツのファイルをクリックする行為再生機能（player）とを含んでなる。
【００１６】
請求項１１に記載するウェブサイトシステムは、請求項１におけるウェブサイトシステムが方法（method）、属性（property）、事件（event）とを組み合わせたグループの1種とする。
【００１７】
請求項１２に記載するウェブサイトシステムは、請求項１０におけるユーザー端末が、行為再生機能に一時停止を要求するインプットデバイスと、インプットデバイスを利用してディジタルコンテンツをクリックする特定ファイルの行為を含む。
【００１８】
請求項１３に記載するウェブサイトシステムは、請求項１０における特定ファイル行為を実行する場合、行為シーケンスン毎のクリックされていないファイルの実行を取り消す。
【００１９】
請求項１４に記載するウェブサイトシステムは、請求項１０における目で確認できる指示オブジェクトが、通信インタフェイスを通して使用者端末に接続し、行為再生機能はファイルをクリックすると同時にクリックされたことを表示する。
【００２０】
請求項１５に記載するウェブサイトシステムは、請求項１０における言語再生が、通信インタフェイスを通して使用者端末に接続し、且つメモリ内に言語データを保存し、該言語データはファイルがクリックされた履歴内に関連する言語を合わせ、該言語データも通信インタフェイスを通して使用者端末に接続し、該行為再生機能はファイルがクリックされると同時に、言語再生機能を利用して言語データを再生する。
【００２１】
請求項１６に記載するウェブサイトシステムは、請求項１０におけるシステムが、さらに編集機能を含み、該編集機能は通信インタフェイスを通して使用者端末に接続し、使用者端末のインプットデバイスにより行為シーケンスの内容を編集する。
【００２２】
請求項１７に記載するウェブサイトシステムは、請求項１０におけるウェブサイトシステムがさらに記録機能を含み、該行為記録機能は通信インタフェイスを介して使用者端末に接続し、行為シーケンスの内容を記録する。
【００２３】
請求項１８に記載するウェブサイトシステムは、請求項１０におけるウェブサイトシステムの行為シーケンスが複数のデータを含み、各データはファイルの識別データと、ファイルがクリックされた時間を含む。
【発明の効果】
【００２４】
この発明による方法によれば、ディジタルコンテンツのオブジェクトがクリックされた履歴や、記録、或いは編集された履歴を再生することができ、操作を便利にするという利点を有する。
【発明を実施するための最良の形態】
【００２５】
この発明は、ディジタルコンテンツのオブジェクトがクリックされた履歴や、記録、或いは編集された履歴を再生することができるディジタルコンテンツの行為を再生、編集、記録するシステム及びその方法を提供するものであって、再生環境を別に設ける必要がなく、同一画面でディジタルコンテンツが操作でき、使用者は同一画面でディジタルコンテンツを自分で操作でき、再生を一時的に停止することができる。また、使用者は一時停止時、ディジタルコンテンツを引き続き操作できる。また、操作状況を再生できるため、座標位置が正確である必要がない。
【００２６】
ディジタルコンテンツは事件（event）に反応するため、ディジタルコンテンツが提供する機能は異なる事件を連続してことなるファイルを適当な反応を提供する。
かかるディジタルコンテンツの行為を再生、編集、記録するシステム及びその方法の構造と特徴を詳述するために具体的な実施例を挙げ、図示を参照にして以下に説明する。
【実施例】
【００２７】
この発明では教師がインターネットでの教育に応用する場合を実施例とする。教育内容に複数のホームページが含まれる場合、教師はブラウザをインタフェイスとして利用してインターネットにつなぐことができる。また、教師が教育内容に関連するオブジェクトを製作する場合には内容をシーケンスし、言語を録音することができる。学生もブラウザをインタフェイスとして利用してインターネットをつなぎ、シーケンスされた内容を再生し、教師が録音した言語を再生し、インターネットによる学習を行うことができる。
【００２８】
図１に、ウェブサイト環境の説明図を開示する。図示によると、複数の使用者（２００）がインターネット（３００）を通してウェブサイト（１００）にログインし、インターネット教育の関連活動が行われている。
【００２９】
図２に、ウェブサイトのブロック図を開示する。図示によると、ウェブサイトはディジタルコンテンツの行為がクリックされた履歴を再生、編集、記録することができる。該ウェブサイト（１００）は、通信用インタフェイス（１０２）と、CPU（１０４）と、メモリ（１０６）と、行為再生機能（１０８）とを含んでなる。
【００３０】
該ウェブサイト（１００）と通信用インタフェイス（１０２）は、コミュニケーションリンク（communication  link）に接続するために使用する。例えば、インターネットなど。
【００３１】
該メモリ（１０６）は内部に複数のディジタルコンテンツ（１０６A）と、行為シーケンス（１０６B）とを含んでなる。該ディジタルコンテンツ（１０６A）は内部に複数のオブジェクト（object）を含んでなる。該オブジェクトは識別データを具え、且つオブジェクトは複数の行為（bnehavior）を含んでいる。ディジタルコンテンツ（１０６A）は通信インタフェイス（１０２）を通して、通信により使用者端末（２００）に接続する。使用者（２００）はインプット装置（input  device）を利用してオブジェクトの行為をクリックすることができる。該行為シーケンス（１０６B）は行為の履歴にクリックするために使用する。行為シーケンス（１０６B）の内容は少なくともオブジェクトの識別データと、該行為の関連データと、該行為にクリックする時間とを含んでなる。行為シーケンス（１０６B）は通信インタフェイス（１０２）を通して通信により使用者端末（２００）に連結する。
【００３２】
該行為再生機能（１０８）は、通信インタフェイス（１０２）を通した通信により、使用者端末（２００）に接続する。行為シーケンス（１０６B）におけるクリック時間をみると、クリックは行為に基づいている。行為は方法（method）、属性（property）、事件（event）を含む。ディジタルコンテンツ（１０６A）はホームページとし、ホームページを例に再生の過程を説明する。
【００３３】
ホームページの識別データはObjIDとする。該方法（method）の名称はObjMethodとする。該属性（propertty）の名称はObjpropertyとし、異動の属性値はPropValueとする。また、事件（event）の名称はObjEventとする。ホームページをクリックする過程は次の通りである。
【００３４】
オブジェクト駆動方法（method）：ObjID.ObjMethod（）
異動オブジェクト属性（property）：
ObjID.ObjProperty＝PropValue
触発オブジェクト事件（event）：ObjID＿ObjEvent
行為再生機能（１０８）はタイマーを配置する。行為シーケンス（１０６B）のクリック時間は、上述のクリック行為に基づいている。
【００３５】
前述のウェブサイト（１００）はさらに、指示オブジェクト（１１０）を含み、通信インタフェイス（１０２）を通して通信により使用者端末（２００）に接続している。指示オブジェクト（１１０）は行為シーケンス（１０６B）行為再生機能（１０８）と同時に、クリックされたオブジェクトに指示を与える。指示オブジェクト（１１０）はどのような外観であっても、明確な指示であればよい。この発明の実施例では、一般的にみられるようなマウスの矢印の図案を識別データcussorIMGとして記載し、Timel時に、位置をObjIDの位置に移動する。プログラムは次に開示する：
cussorIMG.left＝ObjID.left
cussorIMG.right＝ObjID.right
【００３６】
また、指示オブジェクト（１１０）はクリックされたオブジェクトに指示を与える場合、クリックされたオブジェクトを表示する。指示オブジェクト（１１０）は、クリックされたオブジェクトに指示を送ると同時に、該指示オブジェクト（１１０）の外観が変化する。該外観とクリックされた行為は相対関係であればよい。前述のように、マウスとObjIDのクリック方法を説明する。再生時、指示オブジェクト（１１０）がObjIDを指すように位置を合わせクリックすると、該指示オブジェクト（１１０）がクリックされた場合の外観に変化する。
【００３７】
前述のウェブサイト（１００）は言語再生機能（１１２）を含み、且つメモリ（１０６）内に言語データ（１０６C）を含む。言語データ（１０６C）は、行為シーケンス（１０６B）内のオブジェクトがクリックされると同時に関連する言語を合わせて通信インタフェイス（１０２）を通して使用者端末（２００）に接続する。言語再生機能（１１２）もまた、通信インタフェイス（１０２）を通して使用者端末（２００）に接続する。よって、行為再生機能（１０８）は行為シーケンス（１０６B）がクリックされると同時に言語データ（１０６C）を再生する。
【００３８】
前述のウェブサイト（１００）は、行為編集機能（１１４）を含んでもよい。行為編集機能（１１４）は、通信インタフェイス（１０２）を通して使用者端末（２００）に接続し、行為シーケンス（１０６B）内の識別データ、関連データ、ファイルがクリックされた時間を編集することができる。また、行為編集機能（１１４）は、ファイルがクリックされた履歴を直接編集して行為シーケンス（１０６B）としたり、行為シーケンス（１０６B）の内容を再生し、ファイルに予想される効果を表わすこともできる。編集後の行為シーケンス（１０６B）の内容は使用者端末（２００）に保存することができる。また、ウェブサイト（１００）に接続して該内容を伝えることができる。行為シーケンス（１０６B）の内容が使用者端末（２００）に保存された場合、行為再生機能（１０８）は使用者端末（２００）において直接、編集された行為シーケンス（１０６B）の内容を取得し、使用者端末（２００）で再生することができる。行為シーケンス（１０６B）の内容がウェブサイト（１００）に転送された場合、Internet  Explorer内のRDS（Remote  Data  Sevice）ファイルを利用して使用者端末（２００）から行為シーケンス（１０６B）の内容を直列式にウェブサイト（１００）に転送することができる。
【００３９】
前述のウェブサイト（１００）はディジタルコンテンツ（１０６A）内に複数のファイル（object）を含み、該ファイルは識別データを具え、且つ該ファイルは複数の行為（behavior）を含む。該ファイルの行為（behavior）は方法（method）となる場合、ディジタルコンテンツ（１０６A）内には特定の事件（event）が含まれ、インプットイ装置の駆動を利用して方法が特定の事件をクリックする。また、ウェブサイト（１００）はさらに行為記録機能（１１６）を含み、通信インタフェイス（１０２）を通して使用者端末（２００）に接続する。行為記録装置（１１６）は時間の変動とクリックされた特定事件により、行為シーケンス（１０６B）を着とくする。行為シーケンス（１０６B）の内容は少なくともファイル識別データ、方法の名称、該方法が駆動された時間を含む。行為シーケンス（１０６B）の過程の記録は、この実施例ではホームページの例を挙げて以下に説明する：
該ファイル識別データ：クリックされた特定事件処理過程において、以下の式によりファイル識別データを取得する。
document.event.srcElement.id
該方法の名称：クリックされた特定事件は処理過程において、関連する方法の名称を取得できる。例えばdocument.event.Typeは“クリック”を転送し、駆動したファイルの方法をクリックすることを示す。
該方法がクリックされた時間：計測する時計を配置して知ることができる。
【００４０】
記録された行為シーケンス（１０６B）の内容は使用者端末（２００）に保存することができ、且つウェブサイト（１００）に転送することもできる。行為シーケンス（１０６B）の内容が使用者端末（２００）に保存された場合、行為再生機能（１０８）は使用者端末（２００）において記録されたシーケンス好意（１０６B）の内容を直接取得し、使用者端末（２００）で再生することができる。行為シーケンス（１０６B）の内容がウェブサイト（１００）に転送された場合、Internet  Explorer内のRDS（Remote  Data  Service）を利用して使用者端末（２００）を通して行為シーケンス（１０６B）の内容を直列式にウェブサイト（１００）に転送することができる。
【００４１】
前述のウェブサイト（１００）は、内部のディジタルコンテンツ（１０６A）に複数のファイル（object）を含む。該ファイルは識別データを具え、且つ、該ファイルは複数の行為（behavior）を含む。該ファイルの行為は属性（property）となり、ディジタルコンテンツ（１０６A）内には更に特定の事件（event）を含み、インプット装置を利用して属性値を動かす場合、特定事件をクリックする。また、ウェブサイト（１００）は更に行為記録機能（１１６）を含み、通信インタフェイス（１０２）を通して使用者端末（２００）に接続する。行為記録機能（１１６）は事件の変動とクリックされた特定事件に基づいてシーケンス好意（１０６B）を記録する。行為シーケンス（１０６B）の内容は少なくとも、識別データ、属性の名称、異動された属性値、該促成値が異動された時間を含む。行為シーケンス（１０６B）記録の過程はこの実施例ではウェブサイトの例を挙げて以下のように説明する：
該ファイル識別データ：クリックされた特定ファイルの処理過程において、以下の式によりファイル識別データを取得する
document.event.srcElement.id
該属性の名称：クリックされた特定事件処理過程において関連する属性の名称を取得することができる。例えばdocument.event.Typeのようにchangeを転送し、異動した属性の名称をいvalueで表示する。
該属性が異動された値：クリックされた特定事件処理過程において、異動された属性値を取得することができる。Onchangeのように事件がクリックされた後、ファイルのvalueが異動された属性値になる。
該属性が異動された時間：計測する時計を配置すれば知ることができる
【００４２】
記録された行為シーケンス（１０６B）の内容は使用者端末（２００）に保存することができ、ウェブサイト（１００）に転送することができる。行為シーケンス（１０６B）の内容が使用者端末（２００）に保存された場合、行為再生機能（１０８）は使用者端末（２００）において記録された行為シーケンス（１０６B）内容を直接取得し、使用者端末（２００）で再生することができる。行為シーケンス（１０６B）の内容をウェブサイト（１００）に転送する場合、Internet  Explorer内のRDS（Remote  Data  Service）を利用して使用者端末（２００）により行為シーケンス（１０６B）の内容を直列式にウェブサイト（１００）に転送することができる。
【００４３】
前述のウェブサイト（１００）はディジタルコンテンツ（１０６A）に複数のファイル（object）を含む。該ファイルは識別データを具え、且つ該ファイルは複数の行為（behavior）を含む。該ファイルの行為は事件（event）となり、ウェブサイト（１００）はさらに、行為記録機能（１１６）を含み、また通信インタフェイス（１０２）を通して使用者端末（２００）に接続する。行為記録機能（１１６）は時間の変動とクリックされた事件により行為シーケンス（１０６B）を記録する。行為シーケンス（１０６B）の内容は少なくとも、ファイル識別データ、該事件の名称、該事件がクリックされた時間を含む。行為シーケンス（１０６B）を記録する過程はこの実施例ではホームページを例に挙げて以下に説明する：
該ファイル識別データ：クリックされた事件の処理過程において以下の式により識別データを取得する
document.event.srcElement.id
該事件の名称：クリックされた事件の処理過程において関連する事件の名称を取得する。document.event.Typeはmouseoverを転送し、事件がonmouseoverであることを表示する。
該事件がクリックされた時間：計測する時計を配置して知ることができる。
【００４４】
記録された行為シーケンス（１０６B）の内容は使用者端末（２００）に保存することができ、ウェブサイト（１００）に転送することができる。行為シーケンス（１０６B）の内容が使用者端末（２００）に保存されている場合、行為再生機能（１０８）は使用者端末（２００）において記録された行為シーケンス（１０６B）の内容を直接取得し、使用者端末（２００）で再生することができる。行為シーケンス（１０６B）の内容はウェブサイトに転送された場合、Internet  Explorer内のRDS（Remote  Data  Service）を利用して使用者端末（２００）により行為シーケンス（１０６B）の内容を直列式にウェブサイト（１００）に転送することができる。
【００４５】
以上は、この発明の好ましい実施例であって、この発明の実施の範囲を限定するものではない。よって、当業者のなし得る修正、もしくは変更であって、この発明の精神の下においてなされ、この発明に対して均等の効果を有するものは、いずれもこの発明の特許請求の範囲に属するものとする。
【図面の簡単な説明】
【００４６】
【図１】この発明によるディジタルコンテンツの行為を再生、編集、記録するシステムの環境説明図である。
【図２】図１に開示するディジタルコンテンツの行為を再生、編集、記録するシステムウェブサイトの構造を表わしたブロック図である。
【符号の説明】
【００４７】
１００        ウェブサイト
１０２        通信インタフェイス
１０４        CPU
１０６        メモリ
１０６A       ディジタルコンテンツ
１０６B       行為シーケンス
１０６C       言語データ
１０８        行為再生機能
１１０        指示オブジェクト
１１２        言語再生機能
１１４        行為編集機能
１１６        行為記録機能
２００A       使用者端末
２００B       使用者端末
３００        インターネット
【図１】
2004310771.tif 000003
【図２】
2004310771.tif 000004
【外国語明細書】
2004310771.tif 000005
2004310771.tif 000006
2004310771.tif 000007
2004310771.tif 000008
2004310771.tif 000009
2004310771.tif 000010
2004310771.tif 000011
2004310771.tif 000012
2004310771.tif 000013
2004310771.tif 000014
2004310771.tif 000015
2004310771.tif 000016
2004310771.tif 000017
2004310771.tif 000018
2004310771.tif 000019
2004310771.tif 000020
2004310771.tif 000021
2004310771.tif 000022
2004310771.tif 000023
2004310771.tif 000024
2004310771.tif 000025
2004310771.tif 000026